(57)【要約】【課題】施工品質の作り込みと施工作業者の教育とを実現し、施工品質に対する信頼性を向上させる施工管理システム、端末装置及び端末装置用プログラムを提供する。【解決手段】施工作業者が操作する端末装置１は、安全情報取得要求を表示し（Ｓ２０１）、要求した安全情報を取得し（Ｓ２０２）、取得した安全情報を送信する（Ｓ２０３）。安全情報の取得及び送信後、端末装置１は、危険予知情報取得要求を表示し（Ｓ２０４）、要求に対する危険予知情報を取得し（Ｓ２０５）、取得した危険予知情報を送信する（Ｓ２０６）。送信した安全情報及び危険予知情報に基づいて、管理担当者が判定を行う。その後、施工作業者は、施工作業を行い、作業後、端末装置１は、施工品質情報を取得し、取得した施工品質情報を送信し、管理担当者による判定を受ける。【選択図】図５
2017182545.tif 000002
【特許請求の範囲】
【請求項１】
携帯型の端末装置、及び前記端末装置と通信可能で、情報を記録可能な記録装置を備える施工管理システムであって、
前記端末装置は、
作業の安全に関する安全情報の取得を要求する第１要求手段と、
前記第１要求手段にて要求した安全情報を取得する第１取得手段と、
前記第１取得手段にて取得した安全情報を前記記録装置へ送信する第１送信手段と、
作業者の危険予知に関する危険予知情報の取得を要求する第２要求手段と、
前記第２要求手段にて要求した危険予知情報を取得する第２取得手段と、
前記第２取得手段にて取得した危険予知情報を前記記録装置へ送信する第２送信手段と、
前記第１取得手段による安全情報の取得及び前記第２取得手段による危険予知情報の取得が完了後、施工の品質に関する施工品質情報の取得を要求する第３要求手段と、
前記第３要求手段にて要求した施工品質情報を取得する第３取得手段と、
前記第３取得手段にて取得した施工品質情報を前記記録装置へ送信する第３送信手段と
を備え、
前記記録装置は、
受信した安全情報、危険予知情報、及び施工品質情報を記録する取得情報記録部を備える
ことを特徴とする施工管理システム。
【請求項２】
請求項１に記載の施工管理システムであって、
前記第２要求手段は、前記第１取得手段による安全情報の取得が完了後、危険予知情報の取得を要求する
ことを特徴とする施工管理システム。
【請求項３】
請求項１又は請求項２に記載の施工管理システムであって、
前記端末装置は、
撮像部を備え、
前記第１取得手段が取得する安全情報、前記第２取得手段が取得する危険予知情報、及び前記第３取得手段が取得する施工品質情報のうち少なくとも一は、前記撮像部の撮像により取得した画像情報である
ことを特徴とする施工管理システム。
【請求項４】
請求項１乃至請求項３のいずれか１項に記載の施工管理システムであって、
前記端末装置は、
音声入力部を備え、
前記第２取得手段が取得する危険予知情報は、前記音声入力部が取得した音声情報である
ことを特徴とする施工管理システム。
【請求項５】
請求項１乃至請求項４のいずれか１項に記載の施工管理システムであって、
前記第１送信手段は、前記第１取得手段による安全情報の取得を契機として、安全情報を送信する
ことを特徴とする施工管理システム。
【請求項６】
請求項１乃至請求項４のいずれか１項に記載の施工管理システムであって、
前記第２送信手段は、前記第２取得手段による危険予知情報の取得を契機として、危険予知情報、又は安全情報及び危険予知情報を送信する
ことを特徴とする施工管理システム。
【請求項７】
請求項１乃至請求項６のいずれか１項に記載の施工管理システムであって、
前記第３送信手段は、前記第３取得手段による施工品質情報の取得を契機として、施工品質情報を送信する
ことを特徴とする施工管理システム。
【請求項８】
請求項１乃至請求項７のいずれか１項に記載の施工管理システムであって、
前記第１要求手段が要求すべき内容を示す要求安全情報、前記第２要求手段が要求すべき内容を示す要求危険予知情報、及び前記第３要求手段が要求すべき内容を示す要求施工品質情報を、施工対象に対応付けて記録する要求情報記録部を備える
ことを特徴とする施工管理システム。
【請求項９】
請求項８に記載の施工管理システムであって、
前記要求情報記録部は、位置を示す位置情報に対応付けて、要求安全情報、要求危険予知情報及び要求施工品質情報を記録してあり、
前記端末装置は、
位置情報を取得する位置情報取得手段と、
前記位置情報取得手段が取得した位置情報に基づいて、前記要求情報記録部から、要求安全情報、要求危険予知情報及び要求施工品質情報を抽出する抽出手段と
を備え、
前記第１要求手段は、前記抽出手段が抽出した要求安全情報に基づいて、安全情報の取得を要求し、
前記第２要求手段は、前記抽出手段が抽出した要求危険予知情報に基づいて、危険予知情報の取得を要求し、
前記第３要求手段は、前記抽出手段が抽出した要求施工品質情報に基づいて、施工品質情報の取得を要求する
ことを特徴とする施工管理システム。
【請求項１０】
請求項１乃至請求項９のいずれか１項に記載の施工管理システムであって、
前記記録装置は、
前記取得情報記録部に記録する安全情報、危険予知情報、及び施工品質情報に対応付けて、取得日時を示す日時情報及び前記端末装置の操作者を特定する操作者情報を記録する
ことを特徴とする施工管理システム。
【請求項１１】
請求項１乃至請求項１０のいずれか１項に記載の施工管理システムであって、
前記第１要求手段は、安全情報の取得の要求に際し、安全を確認する方法又は手順を出力し、
前記第２要求手段は、危険予知情報の取得の要求に際し、危険予知に関する方法又は手順を出力し、
前記第３要求手段は、施工品質情報の取得の要求に際し、施工品質に関する注意点を出力する
ことを特徴とする施工管理システム。
【請求項１２】
請求項１乃至請求項１１のいずれか１項に記載の施工管理システムであって、
施工作業の管理に用いられる管理用装置を備え、
前記管理用装置は、
安全情報、危険予知情報及び施工品質情報のうち少なくとも一を含む判定用情報を取得する手段と、
取得した判定用情報を出力する手段と、
出力した判定用情報に基づいて作業の良否を判定した判定結果を示す入力を受け付ける手段と、
受け付けた判定結果を送信する手段と
を備えることを特徴とする施工管理システム。
【請求項１３】
請求項１乃至請求項１１のいずれか１項に記載の施工管理システムであって、
施工作業の管理に用いられる管理用装置を備え、
前記管理用装置は、
安全情報及び危険予知情報の少なくとも一方を含む判定用情報を取得する手段と、
取得した判定用情報を出力する手段と、
出力した判定用情報に基づいて作業の良否を判定した判定結果を示す入力を受け付ける手段と、
受け付けた判定結果を送信する手段と
を備え、
前記第３要求手段は、作業が良であることを示す判定結果を受信するまで、施工品質情報の取得の要求を禁止する
ことを特徴とする施工管理システム。
【請求項１４】
施工管理に使用可能な携帯型の端末装置であって、
作業の安全に関する安全情報の取得を要求する第１要求手段と、
前記第１要求手段にて要求した安全情報を取得する第１取得手段と、
作業者の危険予知に関する危険予知情報の取得を要求する第２要求手段と、
前記第２要求手段にて要求した危険予知情報を取得する第２取得手段と、
前記第１取得手段による安全情報の取得及び前記第２取得手段による危険予知情報の取得が完了後、施工の品質に関する施工品質情報の取得を要求する第３要求手段と、
前記第３要求手段にて要求した施工品質情報を取得する第３取得手段と
を備えることを特徴とする端末装置。
【請求項１５】
施工管理に使用可能な携帯型のコンピュータに、
作業の安全に関する安全情報の取得を要求するステップと、
要求した安全情報を取得するステップと、
作業者の危険予知に関する危険予知情報の取得を要求するステップと、
要求した危険予知情報を取得するステップと、
安全情報の取得及び危険予知情報の取得が完了後、施工の品質に関する施工品質情報の取得を要求するステップと、
要求した施工品質情報を取得するステップと
を実行させることを特徴とする端末装置用プログラム。
【発明の詳細な説明】
【技術分野】
【０００１】
本発明は、建築物の施工管理を支援する施工管理システム、そのような施工管理システムにて用いられる端末装置、及びそのような端末装置を実現するための端末装置用プログラムに関する。
【背景技術】
【０００２】
住宅等の建築物を施工する施工現場では、建築物の施工品質を向上させる様々な方法が提案されている。例えば、特許文献１では、現場作業者（職方）が端末操作を行い、現場監督や施工管理者と連絡を取り合うことにより品質管理を行う品質管理システムが提案されている。
【先行技術文献】
【特許文献】
【０００３】
【特許文献１】特開２００７−８７０６７号公報
【発明の概要】
【発明が解決しようとする課題】
【０００４】
しかしながら、今日、建築発注者が工事請負業者へ期待する施工品質報告の要求レベルは、建物の「安全」に係る立証責任に留まらず、建物が真に「安心」できるものであることの証拠（裏付け）が強く求められるまでに至っている。
【０００５】
そのため、工事請負業者たる出願人は、竣工した建物の施工品質が間違いなく品質基準を充たしていることを裏付ける手段として、その工事が日々の現場作業者の安全確保によりなされていること、共同作業の円滑な連携（チームワーク）によりなされていることの活動を実践・記録することで実現しうることに着目した。
【０００６】
より具体的には、現場作業者に対し、工事種別に従った「安全確認活動」及び「危険予知活動」の所定項目を実施することを要求し、これらの所定項目を実施後、工事を開始することを要求する施工管理システムの提供を目的とする。
【０００７】
また、本発明は、本発明に係る施工管理システムにて用いられる端末装置の提供を他の目的とする。
【０００８】
さらに、本発明は、本発明に係る端末装置を実現するための端末装置用プログラムの提供を更に他の目的とする。
【課題を解決するための手段】
【０００９】
上記課題を解決するために本願記載の施工管理システムは、携帯型の端末装置、及び前記端末装置と通信可能で、情報を記録可能な記録装置を備える施工管理システムであって、前記端末装置は、作業の安全に関する安全情報の取得を要求する第１要求手段と、前記第１要求手段にて要求した安全情報を取得する第１取得手段と、前記第１取得手段にて取得した安全情報を前記記録装置へ送信する第１送信手段と、作業者の危険予知に関する危険予知情報の取得を要求する第２要求手段と、前記第２要求手段にて要求した危険予知情報を取得する第２取得手段と、前記第２取得手段にて取得した危険予知情報を前記記録装置へ送信する第２送信手段と、前記第１取得手段による安全情報の取得及び前記第２取得手段による危険予知情報の取得が完了後、施工の品質に関する施工品質情報の取得を要求する第３要求手段と、前記第３要求手段にて要求した施工品質情報を取得する第３取得手段と、前記第３取得手段にて取得した施工品質情報を前記記録装置へ送信する第３送信手段とを備え、前記記録装置は、受信した安全情報、危険予知情報、及び施工品質情報を記録する取得情報記録部を備えることを特徴とする。
【００１０】
また、前記施工管理システムにおいて、前記第２要求手段は、前記第１取得手段による安全情報の取得が完了後、危険予知情報の取得を要求することを特徴とする。
【００１１】
また、前記施工管理システムにおいて、前記端末装置は、撮像部を備え、前記第１取得手段が取得する安全情報、前記第２取得手段が取得する危険予知情報、及び前記第３取得手段が取得する施工品質情報のうち少なくとも一は、前記撮像部の撮像により取得した画像情報であることを特徴とする。
【００１２】
また、前記施工管理システムにおいて、前記端末装置は、音声入力部を備え、前記第２取得手段が取得する危険予知情報は、前記音声入力部が取得した音声情報であることを特徴とする。
【００１３】
また、前記施工管理システムにおいて、前記第１送信手段は、前記第１取得手段による安全情報の取得を契機として、安全情報を送信することを特徴とする。
【００１４】
また、前記施工管理システムにおいて、前記第２送信手段は、前記第２取得手段による危険予知情報の取得を契機として、危険予知情報、又は安全情報及び危険予知情報を送信することを特徴とする。
【００１５】
また、前記施工管理システムにおいて、前記第３送信手段は、前記第３取得手段による施工品質情報の取得を契機として、施工品質情報を送信することを特徴とする。
【００１６】
また、前記施工管理システムにおいて、前記第１要求手段が要求すべき内容を示す要求安全情報、前記第２要求手段が要求すべき内容を示す要求危険予知情報、及び前記第３要求手段が要求すべき内容を示す要求施工品質情報を、施工対象に対応付けて記録する要求情報記録部を備えることを特徴とする。
【００１７】
また、前記施工管理システムにおいて、前記要求情報記録部は、位置を示す位置情報に対応付けて、要求安全情報、要求危険予知情報及び要求施工品質情報を記録してあり、前記端末装置は、位置情報を取得する位置情報取得手段と、前記位置情報取得手段が取得した位置情報に基づいて、前記要求情報記録部から、要求安全情報、要求危険予知情報及び要求施工品質情報を抽出する抽出手段とを備え、前記第１要求手段は、前記抽出手段が抽出した要求安全情報に基づいて、安全情報の取得を要求し、前記第２要求手段は、前記抽出手段が抽出した要求危険予知情報に基づいて、危険予知情報の取得を要求し、前記第３要求手段は、前記抽出手段が抽出した要求施工品質情報に基づいて、施工品質情報の取得を要求することを特徴とする。
【００１８】
また、前記施工管理システムにおいて、前記記録装置は、前記取得情報記録部に記録する安全情報、危険予知情報、及び施工品質情報に対応付けて、取得日時を示す日時情報及び前記端末装置の操作者を特定する操作者情報を記録することを特徴とする。
【００１９】
また、前記施工管理システムにおいて、前記第１要求手段は、安全情報の取得の要求に際し、安全を確認する方法又は手順を出力し、前記第２要求手段は、危険予知情報の取得の要求に際し、危険予知に関する方法又は手順を出力し、前記第３要求手段は、施工品質情報の取得の要求に際し、施工品質に関する注意点を出力することを特徴とする。
【００２０】
また、前記施工管理システムにおいて、施工作業の管理に用いられる管理用装置を備え、前記管理用装置は、安全情報、危険予知情報及び施工品質情報のうち少なくとも一を含む判定用情報を取得する手段と、取得した判定用情報を出力する手段と、出力した判定用情報に基づいて作業の良否を判定した判定結果を示す入力を受け付ける手段と、受け付けた判定結果を送信する手段とを備えることを特徴とする。
【００２１】
また、前記施工管理システムにおいて、施工作業の管理に用いられる管理用装置を備え、前記管理用装置は、安全情報及び危険予知情報の少なくとも一方を含む判定用情報を取得する手段と、取得した判定用情報を出力する手段と、出力した判定用情報に基づいて作業の良否を判定した判定結果を示す入力を受け付ける手段と、受け付けた判定結果を送信する手段とを備え、前記第３要求手段は、作業が良であることを示す判定結果を受信するまで、施工品質情報の取得の要求を禁止することを特徴とする。
【００２２】
さらに、本願記載の端末装置は、施工管理に使用可能な携帯型の端末装置であって、作業の安全に関する安全情報の取得を要求する第１要求手段と、前記第１要求手段にて要求した安全情報を取得する第１取得手段と、作業者の危険予知に関する危険予知情報の取得を要求する第２要求手段と、前記第２要求手段にて要求した危険予知情報を取得する第２取得手段と、前記第１取得手段による安全情報の取得及び前記第２取得手段による危険予知情報の取得が完了後、施工の品質に関する施工品質情報の取得を要求する第３要求手段と、前記第３要求手段にて要求した施工品質情報を取得する第３取得手段とを備えることを特徴とする。
【００２３】
さらに、本願記載の端末装置用プログラムは、施工管理に使用可能な携帯型のコンピュータに、作業の安全に関する安全情報の取得を要求するステップと、要求した安全情報を取得するステップと、作業者の危険予知に関する危険予知情報の取得を要求するステップと、要求した危険予知情報を取得するステップと、安全情報の取得及び危険予知情報の取得が完了後、施工の品質に関する施工品質情報の取得を要求するステップと、要求した施工品質情報を取得するステップとを実行させることを特徴とする。
【００２４】
本願記載の施工管理システム、端末装置及び端末装置用プログラムでは、施工品質の確認の前に、安全確認作業及び危険予知活動を実施することを作業者に徹底させることができる。
【発明の効果】
【００２５】
本発明に係る施工管理システム、端末装置及び端末装置用プログラムは、安全確認作業及び危険予知活動を実施後、施工品質を確認するという作業の状況を端末装置にて取得し、記録装置に記録する。これにより、施工品質の確認の前に、安全確認作業及び危険予知活動の実施を徹底することができるので、施工の際の安全確保が徹底される。また、そのルーティン作業を施工作業者に意識付けることで施工作業者の安全教育を実現することができる。その結果、高い施工品質を確保できる等、優れた効果を奏する。
【図面の簡単な説明】
【００２６】
【図１】本願記載の施工管理システムの構成の一例を概念的に示す説明図である。
【図２】本願記載の施工管理システムにて用いられる端末装置の構成例を示すブロック図である。
【図３】本願記載の施工管理システムにて用いられる記録装置及び管理用装置の構成例を示すブロック図である。
【図４】本願記載の施工管理システムにて用いられる端末装置の要求情報抽出処理の一例を示すフローチャートである。
【図５】本願記載の施工管理システムにて用いられる端末装置、記録装置及び管理用装置の作業前処理の一例をシーケンス図の形式で示すフローチャートである。
【図６】本願記載の施工管理システムにて用いられる端末装置、記録装置及び管理用装置の作業後処理の一例をシーケンス図の形式で示すフローチャートである。
【図７】本願記載の施工管理システムにて用いられる管理用装置の帳票出力処理の一例を示すフローチャートである。
【図８】本願記載の施工管理システムにて用いられる端末装置の表示部に表示される画像の一例を示す説明図である。
【図９】本願記載の施工管理システムにて用いられる端末装置の表示部に表示される画像の一例を示す説明図である。
【図１０】本願記載の施工管理システムにて用いられる端末装置の表示部に表示される画像の一例を示す説明図である。
【図１１】本願記載の施工管理システムにて用いられる端末装置の表示部に表示される画像の一例を示す説明図である。
【図１２】本願記載の施工管理システムにて用いられる端末装置の表示部に表示される画像の一例を示す説明図である。
【図１３】本願記載の施工管理システムにて用いられる端末装置の表示部に表示される画像の一例を示す説明図である。
【図１４】本願記載の施工管理システムにて用いられる端末装置の表示部に表示される画像の一例を示す説明図である。
【図１５】本願記載の施工管理システムにて用いられる管理用装置の出力部に表示される画像の一例を示す説明図である。
【図１６】本願記載の施工管理システムにて用いられる管理用装置の出力部に表示される画像の一例を示す説明図である。
【図１７】本願記載の施工管理システムにて用いられる端末装置の表示部に表示される画像の一例を示す説明図である。
【発明を実施するための形態】
【００２７】
以下、本発明の実施形態について詳述する。なお、以下の実施形態は、本発明を具現化した一例であって、本発明の技術範囲を限定する性格のものではない。
【００２８】
＜システム構成＞
図１は、本願記載の施工管理システムの構成の一例を概念的に示す説明図である。施工現場で施工作業を行う作業者は、作業者用の端末装置１を所持している。端末装置１は、スマートフォン、タブレット型コンピュータ等の通信用コンピュータを用いて構成されており、インターネット、携帯電話網、専用網等の通信網に接続することが可能である。通信網には、各種情報を記録するファイルサーバコンピュータ等の記録装置２が接続されている。更に、通信網には、有線又は無線にて通信するオフィス用コンピュータ、タブレット型コンピュータ等のコンピュータを用いた管理用装置３が接続されている。なお、ここでは、便宜上、管理用装置３という名称を用いているが、管理用装置３は、端末装置１及び記録装置２と通信することが可能な施工管理者、現場監督者、工事責任者、施主に対応する施工部の担当者等の作業者以外の者が使用する装置を総括している。
【００２９】
＜各種装置のハードウェア構成＞
次に、施工管理システムにて用いられる各種装置の構成について説明する。図２は、本願記載の施工管理システムにて用いられる端末装置１の構成例を示すブロック図である。端末装置１は、制御部１０、記録部１１、記憶部１２、通信部１３、表示部１４、入力部１５、撮像部１６、音声出力部１７、音声入力部１８、位置取得部１９等の各種構成を備えている。
【００３０】
制御部１０は、情報処理回路、計時回路、レジスタ回路等の各種回路を備え、装置内の各部を制御する処理を実行するＣＰＵ（Central Processing Unit ）等のプロセッサである。
【００３１】
記録部１１は、フラッシュメモリ（Flash Memory）等の不揮発性メモリ、及び各種ＲＡＭ（Random Access Memory）等の揮発性メモリを用いて構成される回路であり、様々な情報を記録している。記録部１１には、基本プログラム（ＯＳ：Operating System）、基本プログラム上で動作する応用プログラム（アプリケーションプログラム）等のプログラムを記録している。応用プログラムとしては、端末装置用プログラムＰＧ等の各種プログラムが記録されている。
【００３２】
また、記録部１１の記録領域の一部は、現場情報データベース１１ａ、要求情報データベース（要求情報記録部）１１ｂ、作業記録データベース１１ｃ等の各種データベースとして用いられる。現場情報データベース１１ａは、位置情報に対応付けて施工現場を示す情報を予め記録しているデータベースである。要求情報データベース１１ｂは、施工現場に対応付けて要求すべき情報を予め記録しているデータベースである。作業記録データベース１１ｃは、日時及び施工現場に対応付けて、作業者が入力する安全情報、危険予知情報、施工品質情報等の様々な情報を記録するデータベースである。なお、現場情報データベース１１ａ及び要求情報データベース１１ｂは、記録装置２に記録されている情報の全部又は一部をダウンロードしたものである。従って、端末装置１の記録部１１の記録領域の一部を現場情報データベース１１ａ及び要求情報データベース１１ｂとして用いるのではなく、端末装置１は、読み取りが必要になる都度、記録装置２にアクセスし、必要な情報を読み取る様にしても良い。また、作業記録データベース１１ｃは、記録装置２へ記録すべき情報を一時的に記録するデータベースである。なお、このように、端末装置１は、自機の記録部１１の記録領域の一部を作業記録データベース１１ｃとして用いても良いが、記録すべき情報を取得する都度、記録装置２にアクセスし、記録装置２に記録するようにしても良い。
【００３３】
記憶部１２は、揮発性メモリを用いて構成される回路であり、各種プログラムの実行に際して発生するデータを一時的に記憶する。なお、便宜上、記録部１１及び記憶部１２を異なる回路として示しているが、一の回路で構成しても良く、また相互にその機能を補完することも可能である。
【００３４】
通信部１３は、アンテナ及び制御回路を用いて構成される回路であり、通信網を介して、記録装置２、管理用装置３等の各種装置との通信を実現する。
【００３５】
表示部１４は、画像を表示する液晶ディスプレイ等のデバイスである。入力部１５は、作業者からの入力を受け付けるタッチパネル等のデバイスである。端末装置１は、表示部１４及び入力部１５を、例えば、薄板状をなす液晶ディスプレイとタッチパネルとを積層した液晶タッチパネルとして備えている。
【００３６】
撮像部１６は、ＣＣＤ（Charge-Coupled Device ）等の素子を用いて画像を取得するカメラ等のデバイスである。
【００３７】
音声出力部１７は、音を出力するスピーカ等のデバイスであり、例えば、制御部１０からデジタル信号として受け付けた信号を音として出力する。音声入力部１８は、音の入力を受け付けるマイク等のデバイスであり、受音した音をデジタル信号に変換し、例えば、制御部１０へ出力する。
【００３８】
位置取得部１９は、ＧＰＳ（Global Positioning System ）信号の受信、無線基地局からの信号の受信、作業者による入力等の方法により、位置を示す情報を取得する回路及び／又はプログラムである。
【００３９】
以上例示した様々な構成を備えるタブレット型コンピュータ、スマートフォン等のコンピュータは、制御部１０の制御により、記録部１１に記録されている端末装置用プログラムＰＧを読み取り、適宜、記憶部１２に各種情報を記憶させ、各種手順を実行することにより、端末装置１として動作する。端末装置用プログラムＰＧに基づいて実行される各種手順としては、安全情報の取得の要求、安全情報の取得、危険予知情報の取得の要求、危険予知情報の取得、施工品質情報の取得の要求、施工品質情報の取得等の各種ステップを例示することができる。
【００４０】
図３は、本願記載の施工管理システムにて用いられる記録装置２及び管理用装置３の構成例を示すブロック図である。
【００４１】
記録装置２は、制御部２０、記録部２１、記憶部２２、通信部２３等の各種構成を備えている。
【００４２】
制御部２０は、情報処理回路、計時回路、レジスタ回路等の各種回路を備え、装置内の各部を制御する処理を実行するＣＰＵ等のプロセッサである。
【００４３】
記録部２１は、ハードディスク、ＲＡＩＤ（Redundant Arrays of Inexpensive Disks ）等の不揮発性メモリを用いて構成される回路であり、様々な情報を記録している。
【００４４】
なお、記録部２１の記録領域の一部は、現場情報データベース２１ａ、要求情報データベース（要求情報記録部）２１ｂ、作業記録データベース２１ｃ等の各種データベースとして用いられる。現場情報データベース２１ａは、位置情報に対応付けて施工現場を示す情報を予め記録しているデータベースである。要求情報データベース２１ｂは、施工現場に対応付けて要求すべき情報を予め記録しているデータベースである。作業記録データベース２１ｃは、作業者を特定する作業者特定情報、日時及び施工現場に対応付けて、作業者が入力する安全情報、危険予知情報、施工品質情報等の様々な情報を記録するデータベースである。記録装置２が備える現場情報データベース２１ａ、要求情報データベース２１ｂ及び作業記録データベース２１ｃは、前述した端末装置１が備える現場情報データベース２１ａ、要求情報データベース２１ｂ及び作業記録データベース２１ｃと連携している。
【００４５】
記憶部２２は、揮発性メモリを用いて構成される回路であり、各種プログラムの実行に際して発生するデータを一時的に記憶する。なお、便宜上、記録部２１及び記憶部２２を異なる回路として示しているが、一の回路で構成しても良く、また相互にその機能を補完することも可能である。
【００４６】
通信部２３は、ＬＡＮアダプタ及び制御回路を用いて構成される回路であり、通信網を介して、端末装置１、管理用装置３等の各種装置との通信を実現する。
【００４７】
なお、説明の便宜上、記録装置２を１台の装置として記載しているが、様々な情報を記録する複数の装置を連携させたサーバシステムとして構成するようにしても良い。
【００４８】
管理用装置３は、制御部３０、記録部３１、記憶部３２、通信部３３、入力部３４、出力部３５等の各種構成を備えている。
【００４９】
制御部３０は、情報処理回路、計時回路、レジスタ回路等の各種回路を備え、装置内の各部を制御する処理を実行するＣＰＵ等のプロセッサである。
【００５０】
記録部３１は、ハードディスク等の不揮発性メモリを用いて構成される回路であり、様々な情報を記録している。例えば、各種書類を作成すべく書類の様式を示す様式情報等の情報が記録されている。
【００５１】
記憶部３２は、揮発性メモリを用いて構成される回路であり、各種プログラムの実行に際して発生するデータを一時的に記憶する。なお、便宜上、記録部３１及び記憶部３２を異なる回路として示しているが、一の回路で構成しても良く、また相互にその機能を補完することも可能である。
【００５２】
通信部３３は、ＬＡＮアダプタ及び制御回路を用いて構成される回路であり、通信網を介して、端末装置１、管理用装置３等の各種装置との通信を実現する。
【００５３】
入力部３４は、操作をする者の入力を受け付けるマウス、キーボード等の機構である。出力部３５は、画像を表示出力するモニタ、紙媒体に出力するプリンタ等の機構である。
【００５４】
＜各種装置のソフトウェア処理＞
次に、施工管理システムにて用いられる各種装置が実行する処理について説明する。図４は、本願記載の施工管理システムにて用いられる端末装置１の要求情報抽出処理の一例を示すフローチャートである。要求情報抽出処理は、作業者に要求すべき情報の内容を取得する処理である。要求すべき情報の内容は、施工現場毎に設定されているため、位置情報等の属性情報に基づいて、要求すべき情報の内容を抽出する。端末装置１が備える制御部１０は、端末装置用プログラムＰＧ等の各種プログラムを実行することにより、要求情報抽出処理を実行する。
【００５５】
端末装置１が備える制御部１０は、位置情報を取得し（Ｓ１０１）、取得した位置情報に基づいて要求安全情報、要求危険予知情報及び要求施工品質情報を、記録部１１に記録されている現場情報データベース１１ａから抽出する（Ｓ１０２）。ステップＳ１０１において、端末装置１は、例えば、ＧＰＳ等の位置取得部１９により位置情報を取得する。ステップＳ１０２において、端末装置１は、取得した位置情報、位置情報に基づく施工現場等の属性情報に対応付けられている要求安全情報、要求危険予知情報及び要求施工品質情報を現場情報データベース１１ａから抽出する。ステップＳ１０２において、位置情報が示す位置に最も近い施工現場に係る要求安全情報等の各種情報を抽出するようにしても良いが、位置情報が示す位置の近隣の施工現場を示す情報を複数提示し、作業者から施工現場を指定する入力を受け付けた上で、指定された施工現場に係る各種情報を抽出するようにしても良い。なお、端末装置１は、自装置の記録部１１に記録されている現場情報データベース１１ａから、各種情報を抽出するのではなく、記録装置２が備える現場情報データベース２１ａから抽出する様にしても良い。さらに、記録装置２が備える現場情報データベース２１ａから抽出する場合、要求安全情報、要求危険予知情報及び要求施工品質情報の全てを一度に抽出するのではなく、それぞれの情報が必要となる都度、端末装置１が記録装置２にアクセスし、抽出するようにしても良い。
【００５６】
このようにして要求情報抽出処理が実行される。
【００５７】
図５は、本願記載の施工管理システムにて用いられる端末装置１、記録装置２及び管理用装置３の作業前処理の一例をシーケンス図の形式で示すフローチャートである。作業前処理は、作業者が、その日の作業を開始する前に、端末装置１を用いて実行する処理であり、記録装置２を介して管理用装置３を操作する管理担当者と連絡を取り合うことにより、安全作業の遂行を支援する。作業前処理の実行に際し、端末装置１が備える制御部１０は、端末装置用プログラムＰＧ等の各種プログラムを実行する。なお、端末装置１における作業前処理の実行に際し、予め設定されている所定の時刻に自動的に実行、所定の時間帯にのみ実行可能等の実行条件を設定することにより、作業開始前における作業前処理の実施を強制することが可能となる。
【００５８】
端末装置１が備える制御部１０は、安全情報取得要求を表示部１４に表示する（Ｓ２０１）。ステップＳ２０１にて表示する安全情報取得要求とは、作業の安全に関する安全情報の取得を要求する処理であり、例えば、足場の作業板が外れていないことを示す現場の撮像を要求する画像を表示する処理である。また、安全情報取得要求には、現場の撮像を要求するだけでなく、その撮像に至るまでに確認すべき事項及びその手順、所謂安全マニュアルの表示等も含まれる。
【００５９】
制御部１０は、要求した安全情報を取得し（Ｓ２０２）、安全情報の取得を契機（トリガ）として、取得した安全情報を通信部１３から通信網を介して記録装置２へ送信する（Ｓ２０３）。記録装置２へ送信する安全情報には、送信する安全情報を特定する安全情報ＩＤ（ファイル名）、日時、位置取得部１９にて取得される現場の位置情報、作業者又は取得者（撮影者）を示す作業者ＩＤ、作業名称、更新回数、帳票としての出力候補か否かを示す帳票出力有無フラグ、撮影工事店名、作業現場等の各種情報が、例えば、安全情報の属性を示すヘッダ情報として付与される。また、安全情報の送信は、安全情報の取得を契機として実行される。即ち、安全情報を取得、例えば、現場を撮像し、撮像に基づく画像情報の生成を契機として、生成した画像情報の送信が行われる。安全情報の取得を契機とすることにより、取得、例えば撮像により生成された画像情報は直ちに送信されるため、画像の加工、以前の撮像により得られた画像の誤送信等の操作及び処理が行われることを防止する。ただし、不注意による誤撮影等の要因により誤った安全情報が送信される場合もあるため、安全情報の再取得、例えば、撮像のやり直しを行うことが可能である。この場合、再取得された安全情報に属性情報として付与される更新回数を示す数値は加算される。
【００６０】
ステップＳ２０２〜Ｓ２０３の処理により安全情報の取得及び送信後、制御部１０は、危険予知情報取得要求を表示部１４に表示する（Ｓ２０４）。ステップＳ２０４にて表示する危険予知情報取得要求とは、作業者の危険予知に関する危険予知情報の取得を要求する処理であり、例えば、作業者が危険予知活動をしている状況に対し、撮像部１６による撮像及び／又は音声入力部１８による録音を要求する画像を表示する処理である。なお、端末装置１は、安全情報を取得した後、危険予知情報取得要求を出力し、危険予知情報を取得可能な状態となる。即ち、安全情報の取得が完了するまで、危険予知情報の取得の要求が禁止されている。これにより、作業者は、危険予知活動の前に、作業の安全を確認することとなる。従って、作業者に対して、自身の作業の前提として安全の確認をすることを意識付けさせるという教育効果を期待することができ、作業者の安全意識の向上を図ることができる。なお、危険予知情報としては、撮像、録音に限らず、画像及び音声を含む動画、危険予知活動の結果を示す文章等の様々な情報が用いられる。
【００６１】
制御部１０は、要求に対する画像情報、音声情報等の危険予知情報を取得し（Ｓ２０５）、危険予知情報の取得を契機として、取得した危険予知情報を通信部１３から通信網を介して記録装置２へ送信する（Ｓ２０６）。記録装置２へ送信する危険予知情報には、送信する危険予知情報を特定する危険予知情報ＩＤ（ファイル名）、日時、位置取得部１９にて取得される現場の位置情報、作業者又は取得者（撮影者・録音者）を示す作業者ＩＤ、作業名称、更新回数、帳票としての出力候補か否かを示す帳票出力有無フラグ、撮影工事店名、作業現場等の各種情報が、例えば、危険予知情報の属性を示すヘッダ情報として付与される。また、危険予知情報の送信は、危険予知情報の取得を契機として実行される。即ち、危険予知情報を取得、例えば、撮像に基づく画像情報の生成及び／又は録音に基づく音声情報の生成を契機として、生成した画像情報及び／又は音声情報の送信が行われる。危険予知情報の取得を契機とすることにより、取得、例えば撮像、録音により生成された画像情報、音声情報は直ちに送信されるため、情報の加工、以前の取得により得られた画像、音声の誤送信等の操作及び処理が行われることを防止する。ただし、不注意による誤撮影、誤録音等の要因により誤った危険予知情報が送信される場合もあるため、危険予知情報の再取得、例えば、撮像、録音のやり直しを行うことが可能である。この場合、再取得された危険予知情報に属性情報として付与される更新回数を示す数値が加算される。
【００６２】
また、ステップＳ２０３にて端末装置１から送信された安全情報は、記録装置２にて受信される。即ち、記録装置２が備える制御部２０は、通信部２３にて安全情報を受信し、受信した安全情報を、安全情報ＩＤ、日時、位置情報、作業者ＩＤ、作業名称、帳票出力有無フラグ、撮影工事店名、作業現場等の属性情報に対応付けて作業記録データベース２１ｃに記録する（Ｓ２０７）。
【００６３】
安全情報を記録した制御部２０は、安全情報を受信及び記録したことを通知する安全情報記録通知を通信部２３から通信網を介して管理用装置３へ送信する（Ｓ２０８）。
【００６４】
管理用装置３は、記録装置２から送信された安全情報記録通知を受信し、受信した安全情報記録通知を出力部３５から出力する。出力された安全情報記録通知を確認した施工管理者、現場監督者、工事責任者等の管理担当者は、管理用装置３を操作して、記録装置２にアクセスし、記録された安全情報の送信を要求する。即ち、管理用装置３が備える制御部３０は、安全情報の送信を要求する命令である安全情報要求を通信部３３から送信する（Ｓ２０９）。送信される安全情報要求には、送信を要求する安全情報を指定する安全情報ＩＤ等の属性情報が付与される。なお、属性情報は、管理担当者が、記録装置２に記録されている安全情報を指定する入力を行うことにより付与される。
【００６５】
記録装置２が備える制御部２０は、通信部２３にて安全情報要求を受信し、受信した安全情報要求に付与された属性情報等の情報により指定されている安全情報を作業記録データベース２１ｃから抽出し、抽出した安全情報を通信部２３から管理用装置３へ送信する（Ｓ２１０）。
【００６６】
管理用装置３が備える制御部３０は、通信部３３にて安全情報を受信し、受信した安全情報を出力部３５から出力する（Ｓ２１１）。管理対象者は、出力部３５から出力された安全情報、例えば、作業現場の撮像により取得した作業現場の画像（写真）を確認することができる。
【００６７】
さらに、ステップＳ２０７にて端末装置１から送信された危険予知情報は、記録装置２にて受信される。即ち、記録装置２が備える制御部２０は、通信部２３にて危険予知情報を受信し、受信した危険予知報を、危険予知情報ＩＤ、日時、位置情報、作業者ＩＤ、作業名称、更新回数、帳票出力有無フラグ、撮影工事店名、作業現場等の属性情報に対応付けて作業記録データベース２１ｃに記録する（Ｓ２１２）。
【００６８】
危険予知情報を記録した制御部２０は、危険予知情報を受信及び記録したことを通知する危険予知情報記録通知を通信部２３から通信網を介して管理用装置３へ送信する（Ｓ２１３）。
【００６９】
管理用装置３は、記録装置２から送信された危険予知情報記録通知を受信し、受信した危険予知情報記録通知を出力部３５から出力する。出力された危険予知情報記録通知を確認した管理担当者は、管理用装置３を操作して、記録装置２にアクセスし、記録された危険予知情報の送信を要求する。即ち、管理用装置３が備える制御部３０は、危険予知情報の送信を要求する命令である危険予知情報要求を通信部３３から送信する（Ｓ２１４）。送信される危険予知情報要求には、送信を要求する危険予知情報を指定する危険予知情報ＩＤ等の属性情報が付与される。なお、属性情報は、管理担当者が、記録装置２に記録されている危険予知情報を指定する入力を行うことにより付与される。
【００７０】
記録装置２が備える制御部２０は、通信部２３にて危険予知情報要求を受信し、受信した危険予知情報要求に付与された属性情報により指定されている危険予知情報を作業記録データベース２１ｃから抽出し、抽出した危険予知情報を通信部２３から管理用装置３へ送信する（Ｓ２１５）。
【００７１】
管理用装置３が備える制御部３０は、通信部３３にて危険予知情報を受信し、受信した危険予知情報を出力部３５から出力する（Ｓ２１６）。管理対象者は、出力部３５から出力された危険予知情報、例えば、危険予知活動を行っている状況の撮像により取得した画像（写真）、録音により取得した音声を確認することができる。
【００７２】
管理用装置３から出力される安全情報及び危険予知情報を確認した管理担当者は、安全確認結果の良否及び危険予知活動の良否のうち少なくとも一の結果を判定する。そして、管理担当者は、判定した結果を、入力部３４を操作することにより、管理用装置３に入力する。なお、判定結果の入力に際しては、判定の良否だけでなく、是正すべきポイントを指示する是正指示情報を含めるように入力しても良い。是正指示情報の入力は、特に判定結果が悪い場合に有効である。
【００７３】
管理用装置３が備える制御部３０は、判定結果の入力を入力部３４から受け付け（Ｓ２１７）、受け付けた判定結果を示す判定結果情報を通信部３３から通信網を介して端末装置１へ送信する（Ｓ２１８）。ステップＳ２１８にて送信される判定結果情報は、記録装置２にて中継され、中継の際に記録装置２は、判定結果情報を判定の対象となった安全情報、危険予知情報等の情報及び属性情報に対応付けて作業記録データベース２１ｃに記録する。
【００７４】
端末装置１が備える制御部１０は、管理用装置３から送信され記録装置２に記録された判定結果情報を通信部１３にて取得し、取得した判定結果情報に基づく判定結果を表示部１４に表示する（Ｓ２１９）。ステップＳ２１９において、端末装置１は、判定結果の情報の表示に際し、是正指示情報も含まれている場合、含まれている是正指示情報も表示部１４に表示する。なお、判定結果情報は、記録装置２から能動的に記録装置２へ送信するようにしても良く（プッシュ型）、記録装置２から通知のみを行い、端末装置１が記録装置２にアクセスし、記録装置２に記録されている判定結果情報を取得するようにしても良い（プル型）。
【００７５】
表示部１４に表示された判定結果を視認した作業者は、判定結果が良い場合、次の作業を開始する。また、判定結果が悪い場合、作業者は、是正指示情報に沿って作業のやり直しを行った上で、端末装置１を操作し、悪いとされた結果に係る情報を再取得し、再送信する。再送信に際しては、属性情報として付与される更新回数を示す数値が加算される。
【００７６】
上述した処理において、管理用装置３は、安全情報及び危険予知情報の確認を纏めて行っても良く、また、安全情報及び危険予知情報が記録装置２に記録される都度、記録された情報の確認を要求し、更にはその都度、判定結果を入力するようにしても良い。そして、記録される都度、確認を要求し、判定結果を入力する場合、例えば、安全情報について良好の旨の判定結果が得られるまで、端末装置１は、危険予知情報の取得を要求しない等の制限を加えることも可能である。さらに、作業現場の電波状況が悪い場合等の環境下では、安全情報及び危険予知情報を取得する都度、送信するのではなく、取得した安全情報及び危険予知情報を記録しておき、電波状況が良くなった段階で安全情報及び危険予知情報を送信するようにしても良い。ただし、その場合であっても、安全情報及び危険予知情報の取得を契機として記録を行い、その後、再取得がされた場合であっても、再取得した安全情報及び危険予知情報をも含めて送信するように設計することが望ましい。
【００７７】
このようにして作業前処理が実行される。作業前処理が完了後、作業者は、施工現場における各種作業を行う。
【００７８】
図６は、本願記載の施工管理システムにて用いられる端末装置１、記録装置２及び管理用装置３の作業後処理の一例をシーケンス図の形式で示すフローチャートである。作業後処理は、作業者が、作業を完了後、端末装置１を用いて実行する処理であり、記録装置２を介して管理用装置３を操作する管理担当者と連絡を取り合うことにより、施工品質の確認を支援する。作業後処理の実行に際し、端末装置１が備える制御部１０は、端末装置用プログラムＰＧ等の各種プログラムを実行する。なお、端末装置１における作業後処理の実行に際し、前述の作業前処理にて、安全情報及び危険予知情報に対する良好の旨の確認が完了していることが条件となる。即ち、端末装置１は、安全情報及び危険予知情報の確認が完了した後、作業後処理を開始し、後述する施工品質情報の取得が可能な状態となる。即ち、安全情報及び危険予知情報に対する良好の旨の確認が完了するまで、後述する施工品質情報の取得の要求が禁止されている。これにより、作業者は、安全確認作業及び危険予知活動を実施後、施工に係る各種作業を行い、端末装置１を操作して施工品質を確認すべく作業後処理を実行させることとなる。従って、作業者に対して、自身の各種作業及び作業後の施工品質確認の前提として、安全確認作業及び危険予知活動をすることを意識付けさせるという教育効果を期待することができ、作業者の意識の向上を図ることができる。
【００７９】
端末装置１が備える制御部１０は、施工品質情報取得要求を表示部１４に表示する（Ｓ３０１）。ステップＳ３０１にて表示する施工品質情報取得要求とは、施工マニュアルの図面、写真等の情報を表示し、更に施工時の管理ポイント、即ち、施工品質に関する注意点を表示した上で、施工のポイントとなる施工の品質に関する施工品質情報の取得を要求する処理である。施工品質情報の取得の要求とは、例えば、施工のポイントとなる対象の撮像を要求する処理である。また、施工品質情報取得要求には、撮像を要求するだけでなく、その撮像に至るまでに確認すべき事項及びその手順、所謂施工品質確認マニュアルの表示等も含まれる。
【００８０】
制御部１０は、要求した施工品質情報を取得し（Ｓ３０２）、施工品質情報の取得を契機として、取得した施工品質情報を通信部１３から通信網を介して記録装置２へ送信する（Ｓ３０３）。記録装置２へ送信する施工品質情報には、送信する施工品質情報を特定する施工品質情報ＩＤ（ファイル名）、日時、位置取得部１９にて取得される現場の位置情報、作業者又は取得者（撮影者）を示す作業者ＩＤ、作業名称、更新回数、帳票としての出力候補か否かを示す帳票出力有無フラグ、撮影工事店名、作業現場等の各種情報が、例えば、施工品質情報の属性を示すヘッダ情報として付与される。また、施工品質情報の送信は、施工品質情報の取得を契機として実行される。即ち、施工品質情報を取得、例えば、現場を撮像し、撮像に基づく画像情報の生成を契機として、生成した画像情報の送信が行われる。施工品質情報の取得を契機とすることにより、取得、例えば撮像により生成された画像情報は直ちに送信されるため、画像の加工、以前の撮像により得られた画像の誤送信等の操作及び処理が行われることを防止する。ただし、不注意による誤撮影等の要因により誤った施工品質情報が送信される場合もあるため、施工品質情報の再取得、例えば、撮像のやり直しを行うことが可能である。この場合、再取得された施工品質情報に属性情報として付与される更新回数を示す数値が加算される。
【００８１】
端末装置１から送信された施工品質情報は、記録装置２にて受信される。即ち、記録装置２が備える制御部２０は、通信部２３にて施工品質情報を受信し、受信した施工品質情報を、安全情報ＩＤ、日時、位置情報、作業者ＩＤ、作業名称、帳票出力有無フラグ、撮影工事店名、作業現場等の属性情報に対応付けて作業記録データベース２１ｃに記録する（Ｓ３０４）。
【００８２】
施工品質情報を記録した制御部２０は、施工品質情報を受信及び記録したことを通知する施工品質情報記録通知を通信部２３から通信網を介して管理用装置３へ送信する（Ｓ３０５）。
【００８３】
管理用装置３は、記録装置２から送信された施工品質情報記録通知を受信し、受信した施工品質情報記録通知を出力部３５から出力する。出力された施工品質情報記録通知を確認した管理担当者は、管理用装置３を操作して、記録装置２にアクセスし、記録された施工品質情報の送信を要求する。即ち、管理用装置３が備える制御部３０は、施工品質情報の送信を要求する命令である施工品質情報要求を通信部３３から送信する（Ｓ３０６）。送信される施工品質情報要求には、送信を要求する施工品質情報を指定する施工品質情報ＩＤ等の属性情報が付与される。なお、属性情報は、管理担当者が、記録装置２に記録されている施工品質情報を指定する入力を行うことにより付与される。
【００８４】
記録装置２が備える制御部２０は、通信部２３にて施工品質情報要求を受信し、受信した施工品質情報要求に付与された属性情報等の情報により指定されている施工品質情報を作業記録データベース２１ｃから抽出し、抽出した施工品質情報を通信部２３から管理用装置３へ送信する（Ｓ３０７）。
【００８５】
管理用装置３が備える制御部３０は、通信部３３にて施工品質情報を受信し、受信した施工品質情報を出力部３５から出力する（Ｓ３０８）。管理対象者は、出力部３５から出力された施工品質情報、例えば、作業現場の撮像により取得した作業現場の画像（写真）を確認することができる。
【００８６】
管理用装置３から出力される施工品質情報を確認した管理担当者は、施工品質の良否の結果を判定する。そして、管理担当者は、判定した結果を、入力部３４を操作することにより、管理用装置３に入力する。なお、判定結果の入力に際しては、判定の良否だけでなく、是正すべきポイントを指示する是正指示情報を含めるように入力しても良い。是正指示情報の入力は、特に判定結果が悪い場合に有効である。
【００８７】
管理用装置３が備える制御部３０は、判定結果の入力を入力部３４から受け付け（Ｓ３０９）、受け付けた判定結果を示す判定結果情報を通信部３３から通信網を介して端末装置１へ送信する（Ｓ３１０）。ステップＳ３１０にて送信される判定結果情報は、記録装置２にて中継され、中継の際に記録装置２は、判定結果情報を判定の対象となった施工品質情報等の情報及び属性情報に対応付けて作業記録データベース２１ｃに記録する。
【００８８】
端末装置１が備える制御部１０は、管理用装置３から送信され記録装置２に記録された判定結果情報を通信部１３にて取得し、取得した判定結果情報に基づく判定結果を表示部１４に表示する（Ｓ３１１）。ステップＳ３１１において、端末装置１は、判定結果の情報の表示に際し、是正指示情報も含まれている場合、含まれている是正指示情報も表示部１４に表示する。なお、判定結果情報は、記録装置２から能動的に記録装置２へ送信するようにしても良く、記録装置２から通知のみを行い、端末装置１が記録装置２にアクセスし、記録装置２に記録されている判定結果情報を取得するようにしても良い。
【００８９】
表示部１４に表示された判定結果を視認した作業者は、判定結果が良い場合、当該作業を完了する。また、判定結果が悪い場合、作業者は、是正指示情報に沿って作業のやり直しを行った上で、端末装置１を操作し、悪いとされた結果に係る情報を再取得し、再送信する。再送信に際しては、属性情報として付与される更新回数を示す数値が加算される。
【００９０】
このようにして作業後処理が実行される。
【００９１】
以上説明した作業前処理、作業後処理等の処理により、作業者が撮影等の方法により取得した安全情報、危険予知情報、施工品質情報等の判定用情報を管理担当者が、例えば、略実時間で逐次確認することができる。例えば、作業者は、安全確認作業として、当日すべき安全作業の確認を作業開始前に行う。そして作業を行う上で注意すべき項目と作業手順（マニュアル）とを確認し、その結果を画像（写真）等の判定用情報として管理担当者へ報告することになる。更に、その後、危険予知活動を実施し、その状況を画像等の判定用情報として管理担当者へ報告することになる。管理担当者はこれらの状況を略実時間で確認することも可能であり、確認後、必要に応じて指導をすることができる。従って、作業者は、個々の作業における安全確認を徹底し、安全作業の作り込みと危険作業の気付きとを意識してすることができるようになる。結果、作業者の安全教育、安全知識レベルの向上がもたらされる。
【００９２】
また、前述の作業前処理として示したように、安全確認から危険予知活動をこの順番で施工に係る各種作業の前に実施し、各種作業を行った後に、施工品質の確認を行う。施工品質について、作業者は、例えば、作業完了後、自身が行った施工状況が手順書通りであったか否かを撮像画像等の施工品質情報として管理担当者へ報告することになる。管理担当者は、施工品質を略実時間で確認し、判定することが可能となる。従って、安全確認及び危険予知を前提とした品質の作り込みを行うことができ、また、作業者に対する教育を実施することができる。このことは、安全及び品質についての確認及び是正を略実時間で実施することができるので、労働災害、やり替え工事等の問題の発生を抑制することに繋がる。
【００９３】
更に、作業者は、自身の作業内容について危険行為を認識し、注意することができるだけでなく、管理担当者の監督下でその是非を判定することができるので、労働災害の発生を抑制することができる。しかも、作業者が施工品質を確認しながら確実に工事を進めることができるので、やり替え工事があった場合等の状況下でも、後戻り工事を削減することができる。また、例えば、同じ施工現場で連日作業を行う中では、毎回同じ手順を確認することになる場合もあり、繰り返し同じ手順を行う場合、作業者は、知識レベルが自然と向上することになる。そして、管理担当者が安全確認、危険予知活動及び施工品質について略実時間で判定することができるので、高いレベルの安全及び施工品質を確保することができ、また、作業者も見せるための現場作りを目指すことになる。
【００９４】
図７は、本願記載の施工管理システムにて用いられる管理用装置３の帳票出力処理の一例を示すフローチャートである。帳票出力処理とは、管理用装置３を操作する担当者が、上位者、官公庁、施主等の相手に対して提出すべき書類（帳票）の作成を管理用装置３が支援する処理である。
【００９５】
管理用装置３を操作する担当者は、入力部３４を操作して、作成すべき書類に関する種別、提出先、施工対象物等の書誌情報を管理用装置３に入力する。管理用装置３が備える制御部３０は、入力部３４から書誌情報の入力を受け付ける（Ｓ４０１）。
【００９６】
書誌情報の入力を受け付けた制御部３０は、入力を受け付けた書誌情報に基づいて、作成すべき書類に応じた様式を示す様式情報を記録部３１から取得する（Ｓ４０２）。ステップＳ４０２では、管理用装置３は、自装置の記録部３１に予め記録されている様式情報を抽出することにより実行されるが、記録装置２にアクセスし、記録装置２に予め記録されている様式情報を取得するようにしても良い。
【００９７】
さらに、制御部３０は、取得した書誌情報及び様式情報に対応する安全情報、危険予知情報及び施工品質情報のうち少なくとも一を記録装置２から取得する（Ｓ４０３）。記録装置２は、作業記録データベース２１ｃに、日時、位置情報、作業者ＩＤ、作業名称、更新回数、帳票出力フラグ、撮影工事店名、作業現場等の属性情報に対応付けて、安全情報、危険予知情報及び施工品質情報を記録している。管理用装置３は、書誌情報に基づいて記録装置２から取得すべき安全情報、危険予知情報及び施工品質情報を特定することができ、そのうちから様式情報に基づいて取得すべく情報を選択することができる。また、選択の候補となる安全情報、危険予知情報及び施工品質情報は、属性情報として帳票出力有無フラグが帳票出力有りとして示されている安全情報、危険予知情報及び施工品質情報である。なお、例えば、撮り直し等の操作が行われている場合、原則としては、属性情報の一つである更新回数に基づいて、例えば最後に取得された安全情報等が選択される。
【００９８】
そして、制御部３０は、取得した安全情報、危険予知情報及び施工品質情報、並びに書誌情報及び様式情報に基づいて書類情報を作成する（Ｓ４０４）。ステップＳ４０４において、書類情報の作成の過程において、担当者は、適宜、書類に記載すべき内容を確認し、必要に応じて加筆、修正を行う。
【００９９】
制御部３０は、作成した書類情報に基づく書類を出力部３５から出力する（Ｓ４０５）。ステップＳ４０５は、作成した書類を、例えば、出力部３５であるプリンタから紙媒体に印刷した帳票として出力する。
【０１００】
このようにして、帳票出力処理が実行される。
【０１０１】
帳票出力処理として出力される帳票には、必要に応じて、関連付けて記録されている安全情報、危険予知情報、施工品質情報等の情報に基づく画像（写真）が示される。これにより、例えば、施主には、施工品質だけでなく、その施工品質を確保するために行われた安全確認、危険予知活動等の施工作業に係る情報を実際の現場を示す写真として報告することができる。このように、施工現場の写真を含めて、高い品質と高い安全とを確保した上で工事を進めていることを施主に報告することができるので、施主から安心と信頼とをいただくことが可能であり、顧客満足度を向上させることが可能となる。特に、安全情報、危険予知情報及び施工品質情報は、属性情報として日時情報を含んでいることから、安全確認及び危険予知活動を行った後、その日に施工作業を行い施工品質の確認を行ったことを証明することができる。従って、施工品質に対する信頼性を向上させることができる。
【０１０２】
なお、説明の便宜上、作業前処理及び作業後処理の主体と、帳票出力処理の主体とを、同じ管理用装置３として示しているが、これらはそれぞれの管理担当者により操作される異なる装置であっても良い。即ち、必要に応じて、管理用装置３は、作業前処理及び作業後処理において判定支援を行う判定支援装置、帳票出力処理を実行する帳票出力装置等の様々な装置として機能する。
【０１０３】
＜適用例＞
次に、上述した施工管理システムを適用した例を、端末装置１の表示部１４及び管理用装置３の出力部３５に表示される画像例を示しながら説明する。端末装置１を所持する作業者は、施工現場において、作業前に、端末装置１を操作し、アプリケーションプログラムとして記録されている端末装置用プログラムＰＧ等のプログラムを起動し、ログインするための操作を行う。
【０１０４】
図８は、本願記載の施工管理システムにて用いられる端末装置１の表示部１４に表示される画像の一例を示す説明図である。図８は、ログイン後、要求情報抽出処理として、位置情報を取得し、取得した位置情報に基づいて現場情報データベース１１ａから要求安全情報、要求危険予知情報、要求施工品質情報等の各種情報を抽出する際に表示される画像を示している。図８では、位置情報に基づく「現在地周辺」及び「５ｋｍ」の属性（カテゴリ）に属する「Ａ邸」、「Ｂ邸」等の施工現場を示す情報が表示されている。作業者は、表示された施工現場を示す情報を選択することにより、選択された施工現場に対応付けられている要求安全情報、要求危険予知情報、要求施工品質情報等の各種情報を抽出することが可能となる。なお、位置情報に代替して、履歴に基づいて選択の候補を提示する「最近見た」、自らの作業者特定情報に対応付けられている選択の候補を提示する「自分の担当」、その他検索キーを示す「名称等で検索」等の条件に基づいて、施工現場を示す情報を表示するようにしても良い。
【０１０５】
図９は、本願記載の施工管理システムにて用いられる端末装置１の表示部１４に表示される画像の一例を示す説明図である。図９は、作業前処理において、安全情報取得要求として表示される様々な画像を、遷移関係と共に示している。図９（ａ）は、図８に示す画像から「Ａ邸」が選択された際に表示される画像を示しており、選択された施工現場である「Ａ邸」に関する「安全確認情報」、「危険予知活動」、「施工品質確認」等の作業を示す選択候補が表示されている。なお、この段階では、安全確認作業が完了していないため、「危険予知活動」及び「施工品質確認」を選択することはできない。
【０１０６】
図９（ｂ）は、図９（ａ）に示す画像から「安全確認作業」が選択された際に表示される画像を示しており、施工現場「Ａ邸」の「安全確認作業」に関する「外部足場上作業」、「作業台上の作業」等の安全を確認すべき作業を示す選択候補が表示されている。
【０１０７】
図９（ｃ）は、図９（ｂ）に示す画像から、「外部足場上作業」が選択された際に表示される画像を示している。また、図９（ｄ）は、図９（ｂ）に示す画像から「作業台上の作業」が選択された際に表示される画像を示している。図９（ｃ）及び図９（ｄ）に例示するように、図９（ｂ）に示す画像から作業の内容を選択することにより、選択された作業に関する作業手順書が、安全情報の取得の要求として表示される。表示される作業手順書には、作業の概要を示すイラストと共に、具体的な作業手順、安全確認のポイント、危険有害要因等の安全確認に関する説明が記載されている。なお、実際の作業手順書は、通常、一画面には収まらないため、例えば、複数枚のスライドとして、複数画面に渡って表示される。そして、作業手順書を確認後、作業の安全確認をしたことを示す安全情報の取得が要求される。安全情報の取得は、例えば、端末装置１を用いた撮像による画像情報の生成である。図９（ｃ）及び図９（ｄ）に示す例では、画面下側にカメラを模したアイコンが表示されており、当該アイコンに触れることにより、撮像部１６による撮像を行うカメラ用プログラムが起動し、撮像可能な状態となる。なお、撮像すべき対象は、要求安全情報にて指定又は提案されている。例えば、手道具を用いない「外部足場上作業」、「作業台上の作業」、「脚立の単独作業」、「開口部はしご昇降」、「屋根親綱吊作業」、「作業台上作業」等の非手道具系の作業については、作業姿の作業者の画像、現場を確認している作業者の画像、作業床が外れずに設置されている状況等の画像を撮像することが要求される。また、例えば、手道具を用いる「エア釘打機作業」、「丸のこ作業」、「電気ドリル作業」、「グラインダ作業」、「カッター切断作業」等の手道具系の作業については、エア釘打機、丸のこ、電気ドリル等の手道具について安全装置が付いている状態の画像、ケプラー手袋をはめた状態の画像、正しく手道具を所持している作業者の画像等の画像を、その状況が明らかなように、例えば、安全帯については、安全帯そのものの画像の他、安全帯を腰に巻き付けて所定のポーズを取った画像を撮像することが要求される。
【０１０８】
図１０は、本願記載の施工管理システムにて用いられる端末装置１の表示部１４に表示される画像の一例を示す説明図である。図１０は、作業前処理において、安全情報取得要求に対して取得させる安全情報の一例を示している。図１０では、安全情報として、「外部足場上作業」を行う作業者の作業姿を撮像することにより取得できた画像を示している。なお、画像として取得した安全情報は、日時、施工現場、作業内容等の属性情報に対応付けて記録される。例えば、例示した様に操作を行った場合、施工現場は「Ａ邸」であり、作業内容は「安全確認作業−外部足場上作業」等となる。この例では、作業内容は、「安全確認作業」−「外部足場上作業」という階層的な属性で記録される。
【０１０９】
図１１は、本願記載の施工管理システムにて用いられる端末装置１の表示部１４に表示される画像の一例を示す説明図である。図１１は、作業前処理において、危険予知情報取得要求として表示される様々な画像を、遷移関係と共に示している。図１１（ａ）は、安全情報の取得が完了後に、表示される画像を示しており、選択された施工現場である「Ａ邸」に関する「安全確認情報」、「危険予知活動」、「施工品質確認」等の作業を示す選択候補が表示されている。なお、この段階では、安全確認作業が完了しているが、危険予知活動は完了していないため、「施工品質確認」を選択することはできない。
【０１１０】
図１１（ｂ）は、図１１（ａ）に示す画像から「危険予知活動」が選択された際に表示される画像を示しており、危険予知活動の対象となる「バックホウ作業」、「クレーン作業」等の選択候補が表示されている。そして、選択候補を選択することにより、危険予知情報取得要求が表示される。表示される危険予知情報取得要求とは、選択された作業に対し、危険予知活動を行ったことを示す危険予知情報の取得の要求である。危険予知情報の取得は、例えば、端末装置１を用いた撮像による画像情報の生成、音声の入力（録音）による音声情報の生成等の処理である。具体的には、危険予知活動を行っている作業者を撮像した画像、危険予知活動の内容を表形式で記載した危険予知活動表を撮像した画像、危険予知活動を行っている状況を録音した音声等の情報の取得が要求される。複数の作業員がチームで共同作業を行うため円滑な連携ができることを目的とする危険予知活動においては、予め決められた手順を確認し合うだけでなく、その作業におけるその時々の気付き事項、例えば、雨が降っていたら滑り易いから注意等の事項を基に話し合って進めるのが本旨である。従って、危険予知活動を行っている作業者の撮像の他、話し合った内容を録音する音声情報の取得が重要となる。例えば、「バックホウ作業」を選択した場合、オペレータと作業者とがバックホウに関する合図の方法を決めている状況を撮像した画像及び／又は音声が危険予知情報として要求される。なお、危険予知情報としては、必ずしも撮像して得られた画像、録音により得られた音声である必要は無く、危険予知活動後、その内容を記載した文章又は処理を示す情報等の情報であっても良い。
【０１１１】
図１２は、本願記載の施工管理システムにて用いられる端末装置１の表示部１４に表示される画像の一例を示す説明図である。図１２は、作業前処理において、危険予知情報取得要求に対して取得させる危険予知情報の一例を示している。図１２では、危険予知情報として、危険予知活動の内容を記載した危険予知活動表を撮像することにより取得できた画像を示している。なお、画像として取得した危険予知情報は、危険予知情報ＩＤ、日時、位置情報、作業者ＩＤ、作業名称、更新回数、帳票出力有無フラグ、撮影工事店名、作業現場等の属性情報に対応付けて記録される。例えば、例示した様に操作を行った場合、施工現場は「Ａ邸」であり、作業名称は「危険予知活動−バックホウ作業」等となる。この例では、作業名称は、「危険予知活動」−「バックホウ作業」という階層的な属性で記録される。
【０１１２】
図１３は、本願記載の施工管理システムにて用いられる端末装置１の表示部１４に表示される画像の一例を示す説明図である。図１３は、作業後処理において、施工品質取得要求として表示される様々な画像を、遷移関係と共に示している。図１３（ａ）は、危険予知情報の取得が完了し、施工に関する作業が終了した後に、表示される画像を示しており、選択された施工現場である「Ａ邸」に関する「安全確認情報」、「危険予知活動」、「施工品質確認」等の作業を示す選択候補が表示されている。なお、この段階では、安全確認作業及び危険予知活動が完了しているため、いずれの選択候補を選択することも可能である。
【０１１３】
図１３（ｂ）は、図１３（ａ）に示す画像から「施工品質確認」が選択された際に表示される画像を示しており、施工品質の確認の対象となる「防蟻・防腐工事」、「屋根工事」、「鋼板ユニット防水工事」等の選択候補が表示されている。図１３（ｃ）は、図１３（ｂ）に示す画像から「屋根工事」が選択された際に表示される画像を示しており、施工品質の確認対象となる「ＢＷ水切りシート：出隅」、「壁際水切りシート：出隅」、「捨て谷鉄板：出隅」等の選択候補が表示されている。図１３（ａ）及び図１３（ｂ）に例示するように、施工品質の確認対象は、階層的に記録されている。
【０１１４】
図１３（ｄ）は、図１３（ｃ）に示す画像から「捨て谷鉄板：出隅」が選択された際に表示される画像を示している。図１３（ｄ）に例示するように、図１３（ｃ）に示す画像から施工品質確認の対象を選択することにより、選択された対象に関する品質管理手順書が、施工品質情報取得要求として表示される。表示される品質管理手順書は、施工品質確認の対象を示す図と共に、品質管理のポイント等の施工品質管理に関する説明が記載されている。例えば、例示する「捨て谷鉄板：出隅」であれば、品質管理のポイント、即ち施工品質に関する注意点として、図と共に「出隅部の加工とジョイント部のシーリングを確認する。」等の情報が記載されている。また、表示される品質管理手順書は、撮像方法（写真の撮り方）が記載され、施工品質の取得を要求している。例えば、例示する「捨て谷鉄板：出隅」であれば、「出隅部（水切加工部位およびシーリングを含む）前景を撮影する。」等の情報が記載されている。なお、実際の品質管理手順書は、通常、一画面には収まらないため、例えば、複数枚のスライドとして、複数画面に渡って表示される。そして、品質管理手順書を確認後、確認後の施工品質を示す施工品質情報の取得が要求される。施工品質情報の取得は、例えば、端末装置１を用いた撮像により得られた画像（写真）の記録である。図１３（ｄ）に示す例では、画面下側にカメラを模したアイコンが表示されており、当該アイコンに触れることにより、撮像部１６による撮像を行うカメラ用プログラムが起動し、撮像可能な状態となる。なお、撮像すべきポイントは、前述の様に、施工品質の取得の要求として指定又は提案されている。
【０１１５】
図１４は、本願記載の施工管理システムにて用いられる端末装置１の表示部１４に表示される画像の一例を示す説明図である。図１４（ａ）は、作業後処理において、施工品質情報取得要求に対して取得させる施工品質情報の一例を示している。図１４（ａ）では、施工品質情報として施工作業後の出隅用の捨て谷鉄板を撮像することにより取得できた画像を示している。なお、画像として取得した施工品質情報は、施工品質情報ＩＤ、日時、位置情報、作業者ＩＤ、作業名称、更新回数、帳票出力有無フラグ、撮影工事店名、作業現場等の属性情報に対応付けて記録される。例えば、施工現場は「Ａ邸」、作業名称は「屋根工事−捨て谷鉄板：出隅」等となる。この例では、作業名称は、「屋根工事」−「捨て谷鉄板：出隅」という階層的な属性で記録される。
【０１１６】
図１４（ｂ）は、取得した施工品質情報の記録を完了した状態を示している。図１４（ｂ）は、作業後処理にて取得した施工品質情報を記録装置２に記録し、記録した施工品質情報を一覧としてサムネイル形式で表示させている状態を示している。このように画像（写真）として取得し、記録装置２に記録した施工品質情報は、端末装置１又は管理用装置３により適宜閲覧することが可能である。
【０１１７】
端末装置１から記録装置２へ安全情報、危険予知情報、施工品質情報等の情報を送信し、記録装置２が受信した情報を記録した場合、管理用装置３は、その旨を示す安全情報記録通知、危険予知情報記録通知、施工品質情報記録通知等の通知を受けることができる。図１５は、本願記載の施工管理システムにて用いられる管理用装置３の出力部３５に表示される画像の一例を示す説明図である。図１５は、例えば、施工管理者等の管理担当者が、管理用装置３を操作し、ログイン後、作業前処理又は作業後処理の実行における判定支援処理を実行させる際に管理用装置３の出力部３５に表示される画像を示している。
【０１１８】
図１５（ａ）は、判定の対象となる安全情報、危険予知情報、施工品質情報等の情報を要求するための検索画面の例を示している。画面左側には、「物件一覧」、「物件検索」等の属性を選択するためのタブを示す画像が表示されており、その下方には「物件検索」を選択し、検索を行った結果となる施工現場（物件）を示す一覧が表示されている。そして、一覧のうちから所望の施工現場、例えば、「Ａ邸」を選択することにより、一覧の右側に、施工現場に対応する作業を示す一覧が、階層的に付与されている属性に応じたツリー形式で表示される。そして、所望の属性を選択することにより、属性一覧の右側に、当該属性を付与された安全情報、危険予知情報、施工品質情報等の判定の対象となる情報が表示される。図１５（ａ）は、選択された属性に対応付けて記録されている施工品質情報等の判定用の情報を示す画像（写真）の一覧がサムネイル形式で表示された例を示している。
【０１１９】
図１５（ｂ）は、属性を選択して表示される施工品質情報等の判定用の情報を示す画像の一覧が表示された状態を示している。管理担当者は、図１５（ｂ）に例示した状態から管理用装置３を操作して、表示された判定用の情報のうちで所望する判定用の情報を指示する入力を行うことにより、管理用装置３は、判定用の情報の取得及び出力（表示）を実行する。管理担当者は、出力された判定用の情報に基づいて、施工品質の良否、是正すべきポイントの指示等の入力を行うことができる。
【０１２０】
図１６は、本願記載の施工管理システムにて用いられる管理用装置３の出力部３５に表示される画像の一例を示す説明図である。図１６（ａ）は、判定支援に係る処理として、図１５（ｂ）に示す状態から、選択した判定用の情報を出力させ、是正すべきポイントを示す是正指示情報を含む判定結果を入力した際に表示される画像を例示している。図１６（ａ）に示す例では、判定用の情報として表示された施工品質情報の画像、ここでは、管が接続された部分の写真が示されており、是正指示情報として、「スキマ有り  補修」という文言を示す情報が示されている。このように是正指示情報は、施工品質情報の画像に重畳して表示される書き込み文字を示す画像情報等の様々な形式で入力することが可能である。このような是正指示情報の入力は、例えば、外部の画像加工用アプリケーションプログラムと連動させることにより、実現するようにしても良い。
【０１２１】
図１６（ｂ）は、前述した判定用の画像の一覧に、是正指示情報を含む判定結果を示す画像が追加された状態を示している。図１６（ｂ）は、判定支援に係る処理にて入力した判定結果を記録装置２に記録し、記録した判定結果を、施工品質情報等の判定用の情報と共に一覧としてサムネイル形式で表示させている状態を示している。このように判定用の情報に対する判定結果として入力及び記録した判定結果は、端末装置１又は管理用装置３にて、適宜閲覧することが可能である。
【０１２２】
端末装置１は、管理用装置３から送信された是正指示情報を含む判定結果を受信することができる。判定結果は、管理用装置３から送信された判定結果を中継する記録装置２へ送信され、記録装置２は、受信した判定結果を記録し、判定結果を記録した旨の通知を端末装置１へ送信する。端末装置１は、通知に基づき記録装置２にアクセスし、判定結果を要求することにより、管理用装置３から送信され記録装置２にて中継されている判定結果を受信することができる。図１７は、本願記載の施工管理システムにて用いられる端末装置１の表示部１４に表示される画像の一例を示す説明図である。図１７は、判定結果の受信の際に表示される様々な画像を、遷移関係と共に示している。図１７（ａ）は、選択候補として、「Ａ邸」、「Ｂ邸」等の施工現場を示す情報が表示された状態を示している。図１７（ｂ）は、「Ａ邸」が選択され、更に「躯体・防水検査」という属性が選択された状態を示している。なお、ここでは省略しているが、属性が階層的に付与されている場合、付与された属性を画面中で辿るように属性を選択する。
【０１２３】
図１７（ｃ）は、階層構造をなす属性を選択し、記録装置２に記録させた判定用の情報及び判定結果の一覧をサムネイル形式で表示させた状態を示している。そして、作業者は、サムネイルを指示することにより、端末装置１は、判定結果を取得し、取得した判定結果を表示部１４から表示する。即ち、管理担当者が是正指示を書き込んだ画像を表示部１４に表示させる。
【０１２４】
以上、具体的に例示して説明した様に、本願記載の施工管理システムは、作業現場の安全管理及び施工品質管理を目的として適用される。そして、施工管理システムは、安全確認及び危険予知活動の徹底及びそれに伴う作業者の教育を実現し、安全確認及び危険予知活動の後に行われる施工品質の管理を現場の作業者及び管理担当者の双方で行う。これにより、施工品質の作り込みを行い、信頼性を向上させることが可能となる。
【０１２５】
本発明は、以上説明した実施形態に限定されるものではなく、他のいろいろな形態で実施することが可能である。そのため、かかる実施形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【０１２６】
例えば、前記実施形態では、撮像して得られた静止画である画像を安全確認情報等の様々な情報として用いる形態を示したが、本発明はこれに限らず、動画等の情報を安全確認情報等の様々な情報として用いる等、様々な形態に展開することが可能である。
【符号の説明】
【０１２７】
１      端末装置
１０      制御部
１１      記録部
１１ａ      現場情報データベース
１１ｂ      要求情報データベース（要求情報記録部）
１１ｃ      作業記録データベース
１２      記憶部
１３      通信部
１４      表示部
１５      入力部
１６      撮像部
１７      音声出力部
１８      音声入力部
１９      位置取得部
２      記録装置
２０      制御部
２１      記録部
２１ａ      現場情報データベース
２１ｂ      要求情報データベース（要求情報記録部）
２１ｃ      作業記録データベース
２２      記憶部
２３      通信部
３      管理用装置
３０      制御部
３１      記録部
３２      記憶部
３３      通信部
３４      入力部
３５      出力部
ＰＧ    端末装置用プログラム
【図１】
2017182545.tif 000003
【図２】
2017182545.tif 000004
【図３】
2017182545.tif 000005
【図４】
2017182545.tif 000006
【図５】
2017182545.tif 000007
【図６】
2017182545.tif 000008
【図７】
2017182545.tif 000009
【図８】
2017182545.tif 000010
【図９】
2017182545.tif 000011
【図１０】
2017182545.tif 000012
【図１１】
2017182545.tif 000013
【図１２】
2017182545.tif 000014
【図１３】
2017182545.tif 000015
【図１４】
2017182545.tif 000016
【図１５】
2017182545.tif 000017
【図１６】
2017182545.tif 000018
【図１７】
2017182545.tif 000019
【手続補正書】
【提出日】平成29年6月22日(2017.6.22)
【手続補正１】
【補正対象書類名】明細書
【補正対象項目名】０００９
【補正方法】変更
【補正の内容】
【０００９】
上記課題を解決するために本願記載の施工管理システムは、携帯型の端末装置、及び前記端末装置と通信可能で、情報を記録可能な記録装置を備える施工管理システムであって、前記端末装置は、作業の安全に関する安全情報の取得を要求する第１要求手段と、前記第１要求手段にて要求した安全情報を取得する第１取得手段と、前記第１取得手段にて取得した安全情報を前記記録装置へ送信する第１送信手段と、作業者が実施すべき作業に対しての危険予知活動を示す危険予知情報の取得を要求する第２要求手段と、前記第２要求手段にて要求した危険予知情報を取得する第２取得手段と、前記第２取得手段にて取得した危険予知情報を前記記録装置へ送信する第２送信手段と、前記第１取得手段による安全情報の取得及び前記第２取得手段による危険予知情報の取得が完了後、施工の品質に関する施工品質情報の取得を要求する第３要求手段と、前記第３要求手段にて要求した施工品質情報を取得する第３取得手段と、前記第３取得手段にて取得した施工品質情報を前記記録装置へ送信する第３送信手段とを備え、前記記録装置は、受信した安全情報、危険予知情報、及び施工品質情報を記録する取得情報記録部を備えることを特徴とする。
【手続補正２】
【補正対象書類名】明細書
【補正対象項目名】００２２
【補正方法】変更
【補正の内容】
【００２２】
さらに、本願記載の端末装置は、施工管理に使用可能な携帯型の端末装置であって、
作業の安全に関する安全情報の取得を要求する第１要求手段と、前記第１要求手段にて要求した安全情報を取得する第１取得手段と、作業者が実施すべき作業に対しての危険予知活動を示す危険予知情報の取得を要求する第２要求手段と、前記第２要求手段にて要求した危険予知情報を取得する第２取得手段と、前記第１取得手段による安全情報の取得及び前記第２取得手段による危険予知情報の取得が完了後、施工の品質に関する施工品質情報の取得を要求する第３要求手段と、前記第３要求手段にて要求した施工品質情報を取得する第３取得手段とを備えることを特徴とする。
【手続補正３】
【補正対象書類名】明細書
【補正対象項目名】００２３
【補正方法】変更
【補正の内容】
【００２３】
さらに、本願記載の端末装置用プログラムは、施工管理に使用可能な携帯型のコンピュータに、作業の安全に関する安全情報の取得を要求するステップと、要求した安全情報を取得するステップと、作業者が実施すべき作業に対しての危険予知活動を示す危険予知情報の取得を要求するステップと、要求した危険予知情報を取得するステップと、安全情報の取得及び危険予知情報の取得が完了後、施工の品質に関する施工品質情報の取得を要求するステップと、要求した施工品質情報を取得するステップとを実行させることを特徴とする。
【手続補正４】
【補正対象書類名】特許請求の範囲
【補正対象項目名】請求項１
【補正方法】変更
【補正の内容】
【請求項１】
携帯型の端末装置、及び前記端末装置と通信可能で、情報を記録可能な記録装置を備える施工管理システムであって、
前記端末装置は、
作業の安全に関する安全情報の取得を要求する第１要求手段と、
前記第１要求手段にて要求した安全情報を取得する第１取得手段と、
前記第１取得手段にて取得した安全情報を前記記録装置へ送信する第１送信手段と、
作業者が実施すべき作業に対しての危険予知活動を示す危険予知情報の取得を要求する第２要求手段と、
前記第２要求手段にて要求した危険予知情報を取得する第２取得手段と、
前記第２取得手段にて取得した危険予知情報を前記記録装置へ送信する第２送信手段と、
前記第１取得手段による安全情報の取得及び前記第２取得手段による危険予知情報の取得が完了後、施工の品質に関する施工品質情報の取得を要求する第３要求手段と、
前記第３要求手段にて要求した施工品質情報を取得する第３取得手段と、
前記第３取得手段にて取得した施工品質情報を前記記録装置へ送信する第３送信手段と
を備え、
前記記録装置は、
受信した安全情報、危険予知情報、及び施工品質情報を記録する取得情報記録部を備える
ことを特徴とする施工管理システム。
【手続補正５】
【補正対象書類名】特許請求の範囲
【補正対象項目名】請求項１４
【補正方法】変更
【補正の内容】
【請求項１４】
施工管理に使用可能な携帯型の端末装置であって、
作業の安全に関する安全情報の取得を要求する第１要求手段と、
前記第１要求手段にて要求した安全情報を取得する第１取得手段と、
作業者が実施すべき作業に対しての危険予知活動を示す危険予知情報の取得を要求する第２要求手段と、
前記第２要求手段にて要求した危険予知情報を取得する第２取得手段と、
前記第１取得手段による安全情報の取得及び前記第２取得手段による危険予知情報の取得が完了後、施工の品質に関する施工品質情報の取得を要求する第３要求手段と、
前記第３要求手段にて要求した施工品質情報を取得する第３取得手段と
を備えることを特徴とする端末装置。
【手続補正６】
【補正対象書類名】特許請求の範囲
【補正対象項目名】請求項１５
【補正方法】変更
【補正の内容】
【請求項１５】
施工管理に使用可能な携帯型のコンピュータに、
作業の安全に関する安全情報の取得を要求するステップと、
要求した安全情報を取得するステップと、
作業者が実施すべき作業に対しての危険予知活動を示す危険予知情報の取得を要求するステップと、
要求した危険予知情報を取得するステップと、
安全情報の取得及び危険予知情報の取得が完了後、施工の品質に関する施工品質情報の取得を要求するステップと、
要求した施工品質情報を取得するステップと
を実行させることを特徴とする端末装置用プログラム。